(57)【要約】【課題】撮影された監視領域の撮影画像を効率的に確認すること。【解決手段】監視システム１は、所定の監視領域を撮影する撮影手段２と、撮影手段２により撮影された撮影画像を圧縮して、所定数のフレームを一群とした複数のフレーム群Ｇｎで記憶する記憶手段３ｂと、記憶手段３ｂに記憶された複数のフレーム群Ｇｎの中から基準となる少なくとも１つのフレーム群Ｇｎｘを選択し、複数のフレーム群Ｇｎ夫々と基準となるフレーム群Ｇｎｘとのファイルサイズ差分δｎを夫々算出する差分算出手段４ａと、記憶手段３ｂにより記憶されたフレーム群Ｇｎを再生する再生制御手段４ｂと、を備えている。再生制御手段４ｂは、ファイルサイズ差分δｎに基づいて、フレーム群Ｇｎの再生の態様を変化させる。【選択図】図１
2009302600.tif 000002
【特許請求の範囲】
【請求項１】
所定の監視領域を撮影する撮影手段と、
前記撮影手段により撮影された撮影画像を圧縮して、所定数のフレームを一群とした複数のフレーム群を時系列に記憶する記憶手段と、
前記記憶手段に記憶された前記複数のフレーム群の中から基準となる少なくとも１つのフレーム群を選択し、前記複数のフレーム群夫々と前記基準となるフレーム群とのファイルサイズ差分を夫々算出する差分算出手段と、
前記記憶手段により記憶された前記フレーム群を再生する再生制御手段と、を備える監視システムであって、
前記再生制御手段は、前記ファイルサイズ差分に基づいて、前記フレーム群の前記再生の態様を変化させることを特徴とする監視システム。
【請求項２】
請求項１記載の監視システムであって、
前記再生制御手段は、前記ファイルサイズ差分が所定量以上となる前記フレーム群に含まれるＩフレームを、静止画像として表示させることを特徴とする監視システム。
【請求項３】
請求項２記載の監視システムであって、
複数のＩフレームを画面上に表示させる表示手段を更に備え、
前記再生制御手段は、前記ファイルサイズ差分が大きい順に、前記フレーム群に含まれるＩフレームを、前記表示手段に静止画像として表示させることを特徴とする監視システム。
【請求項４】
請求項２記載の監視システムであって、
複数の前記Ｉフレームを画面上に表示させる表示手段を更に備え、
前記再生制御手段は、時系列に記憶された前記フレーム群に含まれるＩフレームを、前記表示手段に静止画像として時系列に表示させることを特徴とする監視システム。
【請求項５】
請求項２乃至４のうちいずれか１項記載の監視システムであって、
複数の前記Ｉフレームを画面上に表示させる表示手段と、
前記表示手段により表示された前記Ｉフレームを選択する選択手段と、を更に備え、
前記再生制御手段は、前記選択手段により選択された前記Ｉフレームを含む前記フレーム群を、前記表示手段に動画像で再生させることを特徴とする監視システム。
【請求項６】
請求項１記載の監視システムであって、
前記再生制御手段は、前記ファイルサイズ差分が所定量以上となる前記フレーム群を通常速度で動画像を再生し、前記ファイルサイズの差分が所定量未満となる前記フレーム群を高速度で動画像を再生する、ことを特徴とする監視システム。
【請求項７】
所定の監視領域を撮影する撮影工程と、
前記撮影工程で撮影された画像を圧縮して、所定数のフレームを一群とした複数のフレーム群を時系列に記憶する記憶工程と、
前記時系列に記憶された前記複数のフレーム群の中から基準となる少なくとも１つのフレーム群を選択し、前記複数のフレーム群夫々と前記基準となるフレーム群とのファイルサイズ差分を夫々算出する差分算出工程と、
前記記憶工程で記憶された前記フレーム群を再生する再生制御工程と、を含む監視方法であって、
前記再生制御工程において、前記差分算出工程で算出された前記ファイルサイズ差分に応じて、前記フレーム群の前記再生の態様を変化させる、ことを特徴とする監視方法。
【発明の詳細な説明】
【技術分野】
【０００１】
本発明は、所定の監視領域を監視する監視システム及び監視方法に関し、詳細には、監視領域の撮影画像を記憶し、効率的に視認するために再生動作を行う監視システム及び監視方法に関するものである。
【背景技術】
【０００２】
従来、所定数のフレームの全データサイズを求めて、この全データサイズが閾値以上である場合、アラーム信号をネットワークに送信する画像記録装置が知られている（例えば、特許文献１参照）。また、監視画像に変化が生じると、その変化に応じて変化する報知信号を出力する異常検知装置が知られている（例えば、特許文献２参照）。
【特許文献１】特開２００６−２７０６６６号公報
【特許文献２】特開平１１−３４１４７５号公報
【発明の開示】
【発明が解決しようとする課題】
【０００３】
上記特許文献１及び２に示す従来技術において、動画像のファイルサイズ差分に基づいて、アラーム信号又は報知信号を出力するものである。すなわち、ユーザが所定の監視領域を常時監視していることが前提となっている。したがって、撮影された監視領域の撮影画像を一旦記憶し、その記憶された撮影画像を効率的に確認するという技術的思想は、開示されていない。
【課題を解決するための手段】
【０００４】
本発明の一態様は、所定の監視領域を撮影する撮影手段と、前記撮影手段により撮影された撮影画像を圧縮して、所定数のフレームを一群とした複数のフレーム群を時系列に記憶する記憶手段と、前記記憶手段に記憶された前記複数のフレーム群の中から基準となる少なくとも１つのフレーム群を選択し、前記複数のフレーム群夫々と前記基準となるフレーム群とのファイルサイズ差分を夫々算出する差分算出手段と、前記記憶手段により記憶された前記フレーム群を再生する再生制御手段と、を備える監視システムであって、前記再生制御手段は、前記ファイルサイズ差分に基づいて、前記フレーム群の前記再生の態様を変化させることを特徴とする監視システムである。この一態様によれば、フレーム群間におけるファイルサイズ差分に応じて、フレーム群の再生の態様を変化させることで、撮影画像の変化に応じて、適切なフレーム群の再生が可能となる。これにより、撮影された監視領域の撮影画像を効率的に確認することができる。
【０００５】
他方、本発明の一態様は、所定の監視領域を撮影する撮影工程と、前記撮影工程で撮影された画像を圧縮して、所定数のフレームを一群とした複数のフレーム群を時系列に記憶する記憶工程と、前記時系列に記憶された前記複数のフレーム群の中から基準となる少なくとも１つのフレーム群を選択し、前記複数のフレーム群夫々と前記基準となるフレーム群とのファイルサイズ差分を夫々算出する差分算出工程と、前記記憶工程で記憶された前記フレーム群を再生する再生制御工程と、を含む監視方法であって、前記再生制御工程において、前記差分算出工程で算出された前記ファイルサイズ差分に応じて、前記フレーム群の前記再生の態様を変化させる、ことを特徴とする監視方法であってもよい。
【発明の効果】
【０００６】
本発明によれば、撮影された監視領域の撮影画像を効率的に確認することができる。
【発明を実施するための最良の形態】
【０００７】
以下、本発明を実施するための最良の形態について、添付図面を参照しながら実施形態を挙げて説明する。
（第１実施形態）
【０００８】
図１は、本発明の第１実施形態に係る監視システム１のシステム構成の一例を示すブロック図である。図１に示す如く、第１実施形態に係る監視システム１は、撮影装置２と、記憶装置３と、再生制御装置４と、を備えている。
【０００９】
撮影装置（撮影手段）２には、室内、建物内、店舗内等の所定の監視領域内を撮影可能な監視カメラ（ＣＣＤカメラ、ＣＭＯＳカメラ、赤外線カメラ等）が用いられている。撮影装置２は、撮影した動画像データを記憶装置３に対して出力する。
【００１０】
記憶装置（記憶手段）３は、撮影装置２により撮影された動画像データを圧縮符号化して、記憶する機能を有している。また、記憶装置３は、圧縮符号処理部３ａと、記憶部３ｂと、を有している。
【００１１】
圧縮符号処理部３ａは、撮影装置２から出力された動画像データを、例えば、ＭＰＥＧ（Moving Picture Experts Group）方式のＶＢＲ（Variable Bit Rate：可変ビットレート）で圧縮符号化（以下、ＭＰＥＧ符号化と称す）を行う。
【００１２】
圧縮符号処理部３ａは、ＭＰＥＧ方式のフレーム間予測を用いて、撮影装置２からの動画像データをＭＰＥＧ符号化し、Ｉフレーム（Intra-coded Frame）、Ｐフレーム（Predicted Frame）、及びＢフレーム（Bi-directional Predicted Frame）からなるフレーム群を生成する。
【００１３】
ここで、Iフレームとは、フレーム間予測を用いずに自己の情報のみで符号化されるフレームを指す。また、Ｐフレームとは、過去のIフレーム又はＰフレームを参照して、時間軸上で前方向予測のみを用いて符号化されるフレームを指す。さらに、Ｂフレームとは、過去又は将来のＩフレーム又はＰフレームを参照して、時間軸上で前方向予測、後方向予測、および両方向予測のうちいずれかを用いて符号化されるフレームを指す。圧縮符号処理部３ａは、ＭＰＥＧ符号化されたフレーム群を記憶部３ｂに対して出力する。
【００１４】
記憶部３ｂは、圧縮符号処理部３ａから出力され、ＭＰＥＧ符号化されたＧＯＰフレーム群を記憶する。記憶部３ｂは、ＭＰＥＧ符号化されたフレーム群を、所定数のフレーム（例えば、１５フレーム）を一群とした複数のフレーム群Ｇ１、Ｇ２、Ｇ３、・・・、Ｇｎで記憶する（図２）。
【００１５】
なお、記憶部３ｂは、記憶したＧＯＰフレーム群Ｇｎの全ファイルサイズが一定量を超えると、古いＧＯＰフレーム群から順に、自動的に削除するように構成されている。また、記憶部３ｂには、例えば、磁気ディスク装置、光ディスク装置等の任意の装置を用いることができる。記憶部３ｂは、記憶したＧＯＰフレーム群Ｇｎを、再生制御装置４に対して出力する。
【００１６】
再生制御装置４は、記憶装置３の記憶部３ｂから出力されたＭＰＥＧ符号化済みのＧＯＰフレーム群Ｇｎを再生する。再生制御装置４は、差分算出部４ａと、再生制御部４ｂと、表示部４ｃと、操作部４ｄと、を有している。なお、再生制御装置４は、例えば、制御処理、演算処理等を行うＣＰＵ（Central Processing Unit）、ＣＰＵによって実行される制御プログラム、演算プログラム等が記憶されたＲＯＭ（Read Only Memory）、処理データ等を一時的に記憶するＲＡＭ（Random Access Memory）等からなるマイクロコンピュータを、中心にして構成されている。
【００１７】
差分算出部（差分算出手段）４ａは、記憶装置３の圧縮符号処理部３ａによってＭＰＥＧ符号化され、記憶部３ｃに記憶されたＧＯＰフレーム群Ｇｎ間におけるファイルサイズ差分δｎを算出する。例えば、差分算出部４ａは、まず、１ＧＯＰ（Group of Pictures：１５フレーム）を一群としたＧＯＰフレーム群Ｇｎ毎に、ファイルサイズＳｎを算出する。そして、差分算出部４ａは、基準となるＧＯＰフレーム群Ｇｎｘ（以下、基準ＧＯＰフレーム群Ｇｎｘ）のファイルサイズＳｎｘに対する、各ＧＯＰフレーム群ＧｎのファイルサイズＳｎの差分δｎ（δｎ＝Ｓｎ−Ｓｎｘ：以下、ファイルサイズ差分δｎと称す）を算出する。
【００１８】
ここで、一般に、一定時間、画像変化が生じていないときは、その一定時間、ＧＯＰフレーム群Ｇｎ間にファイルサイズ変化も生じない。したがって、基準ＧＯＰフレーム群Ｇｎｘのファイルサイズは、例えば、一定時間にＧＯＰフレーム群Ｇｎ間にファイルサイズ変化がないときにおける、ＧＯＰフレーム群Ｇｎのうち１つ又はそれらの平均値が設定される。また、基準ＧＯＰフレーム群Ｇｎｘは、所定周期毎に更新される。さらに、１ＧＯＰ（１５フレーム）が一群とされているが、一群とされるフレーム数は任意に設定可能である。差分算出部４ａは、算出した各ＧＯＰフレーム群Ｇｎのファイルサイズ差分δｎを、再生制御部４ｂに対して出力する。
【００１９】
再生制御部（再生制御手段）４ｂは、差分算出部４ａからの各ＧＯＰフレーム群Ｇｎのファイルサイズ差分δに基づいて、各ＧＯＰフレーム群Ｇｎを表示部４ｃに表示させる。例えば、再生制御部４ｂは、差分算出部４ａからの各ＧＯＰフレーム群Ｇｎのファイルサイズ差分δｎが所定量Ｎ以上となる、ＧＯＰフレーム群Ｇｎ抽出する。さらに、再生制御部４ｂは、抽出された各ＧＯＰフレーム群（１５フレーム）Ｇｎの中からＩフレームのみを夫々抽出する。そして、再生制御部４ｂは、抽出したＩフレームの静止画像を表示部４ｃに表示させる、所謂Ｉフレームのプレビュー表示を行う（図３）。なお、上記ファイルサイズ差分δｎの所定量Ｎは、例えば、経験的に導出された値が設定されており、また、操作部４ｄを介して、適宜、設定変更が可能なように構成されている。
【００２０】
また、再生制御部４ｂは、抽出した複数のＩフレームの静止画像を、時系列で連続して表示部４ｃに表示させる。さらに、再生制御部４ｂは、例えば、表示部４ｃの１画面上に、４つのＩフレーム１、２、３、４の静止画像を表示させ（図３）、画面を切り替えることで、後続のＩフレーム５、・・・、ｎの静止画像を表示させる。
【００２１】
このように、例えば、監視領域内で人間、物等が動くと、その監視領域の撮影画像に変化（動き）が生じるため、ＧＯＰフレーム群Ｇｎ間のファイルサイズ差分δｎが増加することとなる。そして、再生制御部４ｂは、差分算出部４ａからの各ＧＯＰフレーム群Ｇｎのファイルサイズ差分δｎが所定量Ｎ以上となり、撮影画像に変化が生じた判断される、各ＧＯＰフレーム群Ｇｎの中から、Ｉフレームの静止画像のみを夫々抽出し、プレビュー表示する。これにより、ユーザは、撮影画像の中から、変化が生じており特に確認が必要な画像のみを、Ｉフレームのプレビュー表示で簡易に確認することができる。
【００２２】
また、再生制御部４ｂは、表示部４ｃに表示された複数のＩフレームの中から、操作部４ｄを介して選択された、Ｉフレームを含むＧＯＰフレーム群Ｇｎの動画像を再生する。これにより、ユーザは、Ｉフレームのプレビュー表示で簡易に確認した後、さらにそのＩフレームを含むＧＯＰフレーム群Ｇｎの動画像を、詳細に確認することができる。
【００２３】
さらに、再生制御部４ｂは、操作部４ｄからの操作信号に基づいて、表示部４ｃにおける、ＧＯＰフレーム群Ｇｎの再生、停止、一時停止、早送り、巻き戻し、等の周知の再生制御を行う。
【００２４】
表示部（表示手段）４ｃとしては、例えば、液晶ディスプレイ装置、有機又は無機ＥＬ装置等の任意の表示装置を用いることができる。また、操作部（選択手段）４ｄとしては、ユーザ操作が可能なキーボード、マウス、タッチパネルスイッチ等の任意の操作装置を用いることができる。
【００２５】
ところで、従来の監視システムにおいて、ユーザは、一旦記録された監視領域の動画像データを、原則的に一定の再生速度で確認することとなる。したがって、この確認作業には、監視領域の動画像データの記録時間に応じた再生時間を要することとなり、効率的とは言えない。
【００２６】
そこで、第１実施形態に係る監視システム１において、上述の如く、再生制御部４ｂは、差分算出部４ａからの各ＧＯＰフレーム群Ｇｎのファイルサイズ差分δｎが所定量Ｎ以上となる、各ＧＯＰフレーム群Ｇｎの中からＩフレームのみを夫々抽出する。そして、再生制御部４ｂは、抽出したＩフレームの静止画像を、表示部４ｃにプレビュー表示させる。これにより、ユーザは、撮影画像の中から、変化が生じており特に確認が必要な画像のみを、Ｉフレームのプレビュー表示で簡易に確認することができる。すなわち、撮影された監視領域の撮影画像を効率的に確認することができる。
【００２７】
次に、上述した第１実施形態に係る監視システム１の制御処理フローについて、詳細に説明する。図４は、第１実施形態に係る監視システム１の制御処理フローの一例を示すフローチャートである。なお、図４及び後述の図５に示す制御処理は、所定時間毎に繰り返し実行される。
【００２８】
撮影装置２は、所定の監視領域を撮影し、その監視領域の撮影画像を記憶装置３の圧縮符号処理部３ａに対して、逐次出力する（撮影工程）（ステップＳ１００）。
【００２９】
次に、記憶装置３の圧縮符号処理部３ａは、撮影装置２から出力された撮影画像のＭＰＥＧ符号化を行い、複数のＧＯＰフレーム群Ｇｎを生成する（ステップＳ１０１）。
【００３０】
その後、圧縮符号処理部３ａは、ＭＰＥＧ符号化したＧＯＰフレーム群Ｇｎを記憶部３ｂに対して出力する。そして、記憶部３ｂは、圧縮符号処理部３ａから出力されたＧＯＰフレーム群Ｇｎを逐次記憶し（記憶工程）（ステップＳ１０２）、記憶したＧＯＰフレーム群Ｇｎを再生制御装置４に対して出力する。
【００３１】
再生制御装置４の差分算出部４ａは、基準ＧＯＰフレーム群ＧｎｘのファイルサイズＳｎｘに対する、各ＧＯＰフレーム群Ｇｎのファイルサイズ差分δｎを夫々算出し（差分算出工程）（ステップＳ１０３）、再生制御部４ｂに対して出力する。
【００３２】
再生制御部４ｂは、差分算出部４ａからの各ＧＯＰフレーム群Ｇｎのファイルサイズ差分δｎが所定量Ｎ以上となる（δｎ≧Ｎ）、各ＧＯＰフレーム群Ｇｎの中からＩフレームのみを夫々抽出する。そして、再生制御部４ｂは、抽出したＩフレームの静止画像を、表示部４ｃにプレビュー表示させる（再生制御工程）（ステップＳ１０４）。
【００３３】
また、再生制御部４ｂは、表示部４ｃに表示された複数のＩフレームの中から、操作部４ｄを介して選択された、Ｉフレームを含むＧＯＰフレーム群Ｇｎの動画像を再生する（ステップＳ１０５）。
【００３４】
以上、第１実施形態に係る監視システム１において、再生制御部４ｂは、差分算出部４ａからの各ＧＯＰフレーム群Ｇｎのファイルサイズ差分δｎが所定量Ｎ以上となる、各ＧＯＰフレーム群Ｇｎの中からＩフレームのみを夫々抽出する。そして、再生制御部４ｂは、抽出したＩフレームの静止画像を、表示部４ｃにプレビュー表示させる。これにより、ユーザは、撮影画像の中から、変化が生じており特に確認が必要な画像のみを、Ｉフレームのプレビュー表示で簡易に確認することができる。すなわち、撮影された監視領域の撮影画像を効率的に確認することができる。
【００３５】
また、再生制御部４ｂは、表示部４ｃに表示された複数のＩフレームの中から、操作部４ｄを介して選択された、Ｉフレームを含むＧＯＰフレーム群Ｇｎの動画像を再生する。これにより、ユーザは、Ｉフレームのプレビュー表示で簡易に確認した後、さらにそのＩフレームを含むＧＯＰフレーム群Ｇｎの動画像を、詳細に確認することができる。このように、ユーザは、Ｉフレームのプレビュー表示を用いて、確認が必要な撮影画像部分を効率的に絞り込むことができる。
【００３６】
次に、第１実施形態に係る監視システム１の変形例について説明する。
【００３７】
上記第１実施形態において、再生制御部４ｂは、抽出した複数のＩフレームの静止画像を、時系列で、表示部４ｃに表示させているが、ファイルサイズ差分δｎの大きい順で、表示部４ｃに表示させてもよい。これにより、ファイルサイズ差分δｎが大きい、すなわち、変化の大きい撮影画像を優先的に確認することができる。したがって、撮影された監視領域の撮影画像をより効率的に確認することができる。
【００３８】
また、上記第１実施形態において、再生制御部４ｂは、表示部４ｃに表示された複数のＩフレームの中から、操作部４ｄを介して選択された、Ｉフレームを含むＧＯＰフレーム群Ｇｎの動画像を再生しているが、操作部４ｄを介して選択されたＩフレームを拡大表示するようにしてもよい。さらに、再生制御部４ｂは、上記動画像の再生と拡大表示とを、操作部４ｄからの操作情報に基づいて、適宜、切り替えて実行してもよい。これにより、撮影された監視領域の撮影画像をより効率的に確認することができる。
（第２実施形態）
【００３９】
次に、本発明の第２実施形態に係る監視システムについて、説明する。第２実施形態に係る監視システム１において、再生制御部４ｂは、差分算出部４ａからのファイルサイズ差分δｎが所定量Ｎ以上となる、各ＧＯＰフレーム群Ｇｎを通常速度の動画像で再生する。一方、再生制御部４ｂは、差分算出部４ａからのファイルサイズ差分δｎが所定量Ｎよりも小さい、各ＧＯＰフレーム群Ｇｎを高速度の動画像で再生する。これにより、撮影された監視領域の撮影画像を効率的に確認することができる。
【００４０】
第２実施形態に係る監視システム１において、他の構成は、第１実施形態に係る監視システム１と略同一である。図５は、第２実施形態に係る監視システム１の制御処理フローの一例を示すフローチャートである。  
【００４１】
図５に示す如く、撮影装置２は、所定の監視領域を撮影し、その監視領域の撮影画像を記憶装置３の圧縮符号処理部３ａに対して逐次出力する（撮影工程）（ステップＳ２００）。
【００４２】
次に、記憶装置３の圧縮符号処理部３ａは、撮影装置２から出力された撮影画像のＭＰＥＧ符号化を行い、複数のＧＯＰフレーム群Ｇｎを生成する（ステップＳ２０１）。
【００４３】
その後、圧縮符号処理部３ａは、ＭＰＥＧ符号化したＧＯＰフレーム群Ｇｎを記憶部３ｂに対して出力する。記憶部３ｂは、圧縮符号処理部３ａから出力されたＧＯＰフレーム群Ｇｎを記憶し（記憶工程）（ステップＳ２０２）、記憶したＧＯＰフレーム群Ｇｎを再生制御装置４に対して出力する。
【００４４】
そして、再生制御装置４の差分算出部４ａは、基準ＧＯＰフレーム群ＧｎｘのファイルサイズＳｎｘに対する、各ＧＯＰフレーム群Ｇｎのファイルサイズ差分δｎを夫々算出し（差分算出工程）（ステップＳ２０３）、再生制御部４ｂに対して出力する。
【００４５】
再生制御部４ｂは、差分算出部４ａからの各ＧＯＰフレーム群Ｇｎのファイルサイズ差分δｎが所定量Ｎ以上となり（δｎ≧Ｎ）、撮影画像に変化が生じているか否かを判断する（ステップＳ２０４）。
【００４６】
再生制御部４ｂは、差分算出部４ａからの各ＧＯＰフレーム群Ｇｎのファイルサイズ差分δｎが所定量Ｎ以上となり（δｎ≧Ｎ）、撮影画像に変化が生じていると判断したとき（ステップＳ２０４のＹＥＳ）、そのＧＯＰフレーム群Ｇｎを通常速度の動画像で再生する（再生制御工程）（ステップＳ２０５）。
【００４７】
一方、再生制御部４ｂは、差分算出部４ａからの各ＧＯＰフレーム群Ｇｎのファイルサイズ差分δｎが所定量Ｎよりも小さく（δｎ＜Ｎ）、撮影画像に変化が生じていないと判断したとき（ステップＳ２０４のＮＯ）、そのＧＯＰフレーム群Ｇｎを高速度の動画像で再生する（再生制御工程）（ステップＳ２０６）。
【００４８】
以上、第２実施形態に係る監視システム１において、再生制御部４ｂは、差分算出部４ａからのファイルサイズ差分δｎが所定量Ｎ以上となる、各ＧＯＰフレーム群Ｇｎを通常速度の動画像で再生する。一方、再生制御部４ｂは、差分算出部４ａからのファイルサイズ差分δｎが所定量Ｎよりも小さい、各ＧＯＰフレーム群Ｇｎを高速度の動画像で再生する。
【００４９】
すなわち、撮影画像の中から、ファイルサイズ差分δｎが所定量Ｎ以上となり、変化が生じている撮影画像を通常速度で再生し、ファイルサイズ差分δｎが所定量より小さく、変化が生じていない撮影画像を高速度で再生する。これにより、何らかの変化が生じて確認が必要な撮影画像の確認に特化することができ、撮影画像の確認時間を短縮することができる。したがって、撮影された監視領域の撮影画像を効率的に確認することができる。
【００５０】
次に、第２実施形態に係る監視システム１の変形例について、説明する。
【００５１】
上記第２実施形態において、再生制御部４ｂは、差分算出部４ａからの各ＧＯＰフレーム群Ｇｎのファイルサイズ差分δｎが所定量Ｎ以上となるＧＯＰフレーム群Ｇｎを、通常速度の動画像で再生しているが、通常よりも遅い速度で再生させてもよい。
【００５２】
これにより、撮影画像の中から、ファイルサイズ差分δｎが所定量Ｎ以上となり、変化が生じて特に確認が必要な撮影画像を、通常より遅い速度の再生によって、より確実に確認することができる。さらに、再生制御部４ｂによる再生速度は、操作部４ｄを介して、ユーザにより任意に設定変更できる構成であってもよい。
【００５３】
なお、本発明を実施するための最良の形態について上記実施形態を用いて説明したが、本発明はこうした上記実施形態に何等限定されるものではなく、本発明の要旨を逸脱しない範囲内において、上述した実施形態に種々の変形及び置換を加えることができる。
【００５４】
例えば、上記第１及び第２実施形態において、複数の撮影装置２が、対応する記憶装置３及びネットワーク網５を介して、再生制御装置４に接続される構成であってもよい（図６）。なお、ネットワーク網としては、例えば、ＬＡＮ（Local Area Network）、ＷＡＮ（Wide Area Network）等の任意の通信ネットワークを用いることができる。これより、複数の監視領域の動画像を、各監視領域から離れた場所にある再生制御装置４により一括して再生することで、より効率的な監視が可能となる。
【図面の簡単な説明】
【００５５】
【図１】本発明の第１実施形態に係る監視システムのシステム構成の一例を示すブロック図である。
【図２】記憶部に記憶された１ＧＯＰを一群とした複数のＧＯＰフレーム群の一例を示す図である。
【図３】再生制御装置の表示部に表示されたＩフレームのプレビュー表示の一例を示す図である。
【図４】本発明の第１実施形態に係る監視システムの制御処理フローの一例を示すフローチャートである。
【図５】本発明の第２実施形態に係る監視システムの制御処理フローを示すフローチャートである。
【図６】複数の撮影装置が、対応する記憶装置及びネットワーク網を介して再生制御装置に接続される構成の一例を示す図である。
【符号の説明】
【００５６】
１    監視システム
２    撮影装置
３    記憶装置
３ａ  圧縮符号処理部
３ｂ  記憶部
４    再生制御装置  
４ａ  差分算出部
４ｂ  再生制御部
４ｃ  表示部
４ｄ  操作部
５    ネットワーク網
δｎ  ファイルサイズ差分
【図１】
2009302600.tif 000003
【図２】
2009302600.tif 000004
【図３】
2009302600.tif 000005
【図４】
2009302600.tif 000006
【図５】
2009302600.tif 000007
【図６】
2009302600.tif 000008